(57)【要約】【課題】  汗の吸収効果や水分による冷却効果を発揮することを可能にし、しかも必要に応じて洗濯することができる帽子用インナーウエアを提供する。【解決手段】  人の頭部を覆うように縫製された帽子用インナーウエアにおいて、頭部に接触するように配置された親水布１１と、該親水布１１の外側に配置された防水布１２と、これら親水布１１と防水布１２との間に挿入された保水層１３との積層構造を有する被覆片１を少なくとも一部に設ける。【選択図】  図１
2012140740.tif 000002
【特許請求の範囲】
【請求項１】
人の頭部を覆うように縫製された帽子用インナーウエアであって、頭部に接触するように配置された親水布と、該親水布の外側に配置された防水布と、前記親水布と前記防水布との間に挿入された保水層との積層構造を有する被覆片を少なくとも一部に設けたことを特徴とする帽子用インナーウエア。
【請求項２】
碗形状に縫製されたことを特徴とする請求項１に記載の帽子用インナーウエア。
【請求項３】
前記積層構造を有する被覆片を少なくとも前頭部分に配置したことを特徴とする請求項２に記載の帽子用インナーウエア。
【請求項４】
前記積層構造を有する被覆片を前頭部分及び頭頂部分に配置する一方で、伸縮自在のメッシュ構造を有する被覆片を側頭部分及び後頭部分に配置したことを特徴とする請求項２に記載の帽子用インナーウエア。
【請求項５】
円板状に縫製されたことを特徴とする請求項１に記載の帽子用インナーウエア。
【請求項６】
前記積層構造を有する被覆片に保形用の弾性モノフィラメントを付設したことを特徴とする請求項５に記載の帽子用インナーウエア。
【請求項７】
前記保水層が不織布であることを特徴とする請求項１〜６のいずれかに記載の帽子用インナーウエア。
【請求項８】
前記不織布の繊維として架橋アクリル酸ナトリウム系の高吸湿性繊維を用いたことを特徴とする請求項７に記載の帽子用インナーウエア。
【発明の詳細な説明】
【技術分野】
【０００１】
本発明は、帽子の下に着用するインナーウエアに関し、更に詳しくは、汗の吸収効果や水分による冷却効果を発揮することを可能にし、しかも必要に応じて洗濯することができる帽子用インナーウエアに関する。
【背景技術】
【０００２】
人の頭部に強い日差しが直接当たるのを回避するための装着具として様々な帽子が普及している。ところが、帽子を被った場合、帽子内で発汗したり、蒸れを感じたりすることがある。そのため、水分を滲み込ませたタオルを頭部と帽子との間に挟み込んだり、帽子を脱いでタオルで汗を拭うことが頻繁に行われている。このような発汗や蒸れを解消するために、一部にメッシュ構造などを採用することで通気性を高めた帽子（例えば、特許文献１〜３参照）が提案されているが、必ずしも十分な清涼感が得られていないのが現状である。また、帽子は型崩れするため、発汗により汚れた場合であっても手軽に洗濯することができないという不都合もある。
【先行技術文献】
【特許文献】
【０００３】
【特許文献１】特開２００５−４２２５８号公報
【特許文献２】特開２００５−２９０５６６号公報
【特許文献３】特開２０１０−１３８５２６号公報
【発明の概要】
【発明が解決しようとする課題】
【０００４】
本発明の目的は、汗の吸収効果や水分による冷却効果を発揮することを可能にし、しかも必要に応じて洗濯することができる帽子用インナーウエアを提供することにある。
【課題を解決するための手段】
【０００５】
上記目的を達成するための本発明の帽子用インナーウエアは、人の頭部を覆うように縫製された帽子用インナーウエアであって、頭部に接触するように配置された親水布と、該親水布の外側に配置された防水布と、前記親水布と前記防水布との間に挿入された保水層との積層構造を有する被覆片を少なくとも一部に設けたことを特徴とするものである。
【発明の効果】
【０００６】
本発明では、帽子用インナーウエアが、頭部に接触するように配置された親水布と、該親水布の外側に配置された防水布と、これら親水布と防水布との間に挿入された保水層との積層構造を有する被覆片を備えているので、親水布が頭部からの汗を面方向に拡散し、その汗を保水層に効率良く吸収することができ、しかも防水布が存在するため汗を帽子に浸透させることはない。また、予め保水層に水分を滲み込ませるようにした場合、その水分が親水布を介して面方向に拡散し、より広い面積において効果的な冷却作用を発揮することができ、しかも防水布が存在するため水分を帽子に浸透させることはない。更に、帽子用インナーウエアは帽子の下に着用することを前提とするものであって型崩れを気にする必要がないため、気軽に洗濯することができる。
【０００７】
本発明の帽子用インナーウエアは碗形状に縫製することができる。この場合、上記積層構造を有する被覆片は少なくとも前頭部分に配置することが好ましい。これにより、汗の吸収効果や水分による冷却効果を前頭部分において発揮することができる。特に、上記積層構造を有する被覆片を前頭部分及び頭頂部分に配置する一方で、伸縮自在のメッシュ構造を有する被覆片を側頭部分及び後頭部分に配置することが好ましい。これにより、汗の吸収効果や水分による冷却効果を前頭部分及び頭頂部分において発揮すると共に、伸縮自在のメッシュ構造を有する被覆片に基づいてフィット性を向上しつつ側頭部分及び後頭部分における通気性を確保することができる。
【０００８】
また、本発明の帽子用インナーウエアは円板状に縫製することができる。このような形状を有する帽子用インナーウエアは、学生や警察官等の制帽に対して好適である。この場合、上記積層構造を有する被覆片に保形用の弾性モノフィラメントを付設することが好ましい。これにより、帽子用インナーウエアを弾性モノフィラメントの弾性回復力に基づいて制帽等の帽子に対して係合させることが可能になる。なお、円板状に縫製された帽子用インナーウエアとは、平面視形状が真円形、楕円形、長円形等を含む円形をなして板状に縫製されたものである。
【０００９】
本発明において、保水層は不織布であることが好ましく、特に不織布の繊維としては架橋アクリル酸ナトリウム系の高吸湿性繊維を用いることが好ましい。このような保水層は良好な保水能力を有し、帽子用インナーウエアの素材として加工が容易である。
【図面の簡単な説明】
【００１０】
【図１】本発明の実施形態からなる帽子用インナーウエアを示す斜視図である。
【図２】図１の帽子用インナーウエアを示す側面図である。
【図３】図１の帽子用インナーウエアを示す平面図である。
【図４】図１の帽子用インナーウエアを構成する被覆片を示す平面図である。
【図５】図４のＸ−Ｘ矢視断面図である。
【図６】本発明の他の実施形態からなる帽子用インナーウエアを示す平面図である。
【図７】図６のＹ−Ｙ矢視断面図である。
【図８】本発明の更に他の実施形態からなる帽子用インナーウエアを示す平面図である。
【図９】図８のＺ−Ｚ矢視断面図である。
【発明を実施するための形態】
【００１１】
以下、本発明の構成について添付の図面を参照しながら詳細に説明する。図１〜図５は本発明の実施形態からなる帽子用インナーウエアを示すものである。
【００１２】
図１〜図３に示すように、本実施形態の帽子用インナーウエアは、人の頭部を覆うように縫製された帽子用インナーウエアであり、後述する積層構造を有する複数枚の被覆片１と、伸縮自在のメッシュ構造を有する複数枚の被覆片２とを組み合わせて碗形状に縫製したものである。より具体的には、所定の積層構造を有する複数枚の被覆片１は前頭部分及び頭頂部分に選択的に配置され、メッシュ構造を有する複数枚の被覆片２は側頭部分及び後頭部分に選択的に配置されている。
【００１３】
各被覆片１は、例えば、図４のような三角形の平面視形状を有している。この被覆片１は、図５に示すように、頭部に接触するように配置された親水布１１と、該親水布１１の外側（帽子側）に配置された防水布１２と、これら親水布１１と防水布１２との間に挿入された保水層１３との積層構造を有している。
【００１４】
親水布１１は、織物や編物等からなる布帛に親水加工を施したものである。親水加工としては、一般的な手法を採用することができる。例えば、ポリエチレングリコール、ポリエステル系樹脂、ポリアミド系樹脂、ポリアミン第４級アンモニウム塩等の加工薬剤を用いて布帛の繊維に親水性を付与することができる。また、親水基である酸性基を有するビニル系ポリマーを布帛の繊維にグラフト重合しても良い。酸性基を有するビニル系ポリマーとしては、アクリル酸、メタクリル酸、イタコン酸、アリルスルフォン酸、メタクリルスルフォン酸、スチレンスルフォン酸等の化合物が挙げられるが、これらに限定されるものではない。
【００１５】
防水布１２は、織物や編物等からなる布帛に防水加工を施したものである。防水加工としては、一般的な手法を採用することができる。例えば、防水性や撥水性を有する樹脂で布帛の繊維をコーティングしたり、防水性や撥水性を有する樹脂を布帛に含浸させて熱処理したり、布帛上に防水性や撥水性を有する樹脂からなる防水層を形成することができる。このような樹脂としては、ポリウレタン系樹脂、シリコーン系樹脂、フッ素系樹脂、アクリル系樹脂、ビニル系樹脂等が挙げられるが、これらに限定されるものではない。
【００１６】
保水層１３は、内部に水分を保持する機能を有するものである。この保水層１３としては、不織布、織物、編物、スポンジ等を使用することができるが、特に吸水性を有する不織布を用いると良い。吸水性を有する不織布の繊維としては、架橋アクリル酸ナトリウム系の高吸湿性繊維を用いると良い。具体例としては、例えば、帝人ファイバー株式会社製の「ベルオアシス」（登録商標）が挙げられる。架橋アクリル酸ナトリウム系の高吸湿性繊維は吸水能力が高く、しかも不織布とした場合には自由な膨張が許容されるため優れた保水性を発揮することができる。また、架橋アクリル酸ナトリウム系の高吸湿性繊維は吸湿性や消臭性にも優れている。更に、上述のような不織布は帽子用インナーウエアの素材として加工が容易であり、上記積層構造を有する被覆片１の内部に容易に縫い込むことができる。
【００１７】
一方、メッシュ構造を有する各被覆片２は、例えば、扇形の平面視形状を有している。この被覆片２は、網目構造を有する織物であると良い。網目構造を有する織物は通気性に優れ、しかも伸縮自在を有している。
【００１８】
上述した帽子用インナーウエアは、頭部に接触するように配置された親水布１１と、該親水布１１の外側に配置された防水布１２と、これら親水布１１と防水布１２との間に挿入された保水層１３との積層構造を有する被覆片１を備えているので、親水布１１が頭部からの汗を面方向に拡散し、その汗を保水層１３に効率良く吸収することができる。そのため、炎天下等で帽子を被る際に上記インナーウエアを帽子の下に着用した場合、汗が吸収されて清涼感を得ることができる。また、帽子と接する部位には防水布１２が配置されているため汗を帽子に浸透させることはない。
【００１９】
上述した帽子用インナーウエアは、予め保水層１３に水分を滲み込ませた状態で使用することも可能である。この場合、保水層１３に蓄えられた水分が親水布１１を介して面方向に拡散し、より広い面積において効果的な冷却作用を発揮することができる。そのため、炎天下等で帽子を被る際に上記インナーウエアを帽子の下に着用した場合、水分の気化熱による冷却作用に基づいて清涼感を得ることができる。また、帽子と接する部位には防水布１２が配置されているため水分を帽子に浸透させることはない。
【００２０】
しかも、上述した帽子用インナーウエアは、帽子の下に着用することを前提とするものであって型崩れを気にする必要がないため、汚れた際には気軽に洗濯することができる。なお、帽子用インナーウエアは帽子の下に着用することを前提とするものであるが、好みにより単体で被ることも可能である。
【００２１】
更に、上述した帽子用インナーウエアにおいては、所定の積層構造を有する被覆片１を前頭部分及び頭頂部分に配置する一方で、伸縮自在のメッシュ構造を有する被覆片２を側頭部分及び後頭部分に配置しているので、汗の吸収効果や水分による冷却効果を前頭部分及び頭頂部分において発揮すると共に、伸縮自在のメッシュ構造を有する被覆片２に基づいてフィット性を向上しつつ側頭部分及び後頭部分における通気性を確保することができる。なお、フィット性を更に高めるためにメッシュ構造を有する被覆片２の縁部にゴム紐等の弾性帯を付設することは有効である。
【００２２】
上述した実施形態においては、所定の積層構造を有する被覆片を前頭部分及び頭頂部分に配置する一方で、伸縮自在のメッシュ構造を有する被覆片を側頭部分及び後頭部分に配置した場合について説明したが、本発明では所定の積層構造を有する被覆片を帽子用インナーウエアの少なくとも一部に設け、好ましくは、少なくとも前頭部分に配置するようにすれば良い。
【００２３】
例えば、所定の積層構造を有する被覆片を帽子用インナーウエアの全体に適用した構造、所定の積層構造を有する被覆片を前頭部分、頭頂部分及び側頭部分に配置する一方で、伸縮自在のメッシュ構造を有する被覆片を後頭部分に配置した構造、或いは、所定の積層構造を有する被覆片を前頭部分及び頭頂部分に配置する一方で、単なる布帛からなる被覆片を側頭部分及び後頭部分に配置した構造等も本発明に包含されるものである。
【００２４】
図６及び図７は本発明の他の実施形態からなる帽子用インナーウエアを示すものである。図６に示すように、本実施形態の帽子用インナーウエアは、人の頭部を覆うように縫製された帽子用インナーウエアであり、円形の平面視形状を有する被覆片１を用いて円板状に縫製したものである。
【００２５】
被覆片１は、図７に示すように、頭部に接触するように配置された親水布１１と、該親水布１１の外側（帽子側）に配置された防水布１２と、これら親水布１１と防水布１２との間に挿入された保水層１３との積層構造を有している。そして、被覆片１には保形用の弾性モノフィラメント１４が付設されている。より具体的には、円板状をなす帽子用インナーウエアの外縁部に沿って弾性モノフィラメント１４が環状に配置され、この弾性モノフィラメント１４を包み込むように被覆片１が縫合されている。
【００２６】
上述した帽子用インナーウエアは、前述の実施形態と同様に、汗の吸収効果や水分による冷却効果を発揮することができ、しかも必要に応じて洗濯することができる。また、上述のような形状を有する帽子用インナーウエアは、学生や警察官等の制帽に対して好適である。特に、被覆片１に保形用の弾性モノフィラメント１４を付設しているので、弾性モノフィラメント１４の弾性回復力に基づいて帽子用インナーウエアを制帽等の帽子に対して係合させることができる。
【００２７】
図８及び図９は本発明の更に他の実施形態からなる帽子用インナーウエアを示すものである。図８に示すように、本実施形態の帽子用インナーウエアは、人の頭部を覆うように縫製された帽子用インナーウエアであり、円形の平面視形状を有する被覆片１を用いて円板状に縫製したものである。
【００２８】
被覆片１は、図９に示すように、頭部に接触するように配置された親水布１１と、該親水布１１の外側（帽子側）に配置された防水布１２と、これら親水布１１と防水布１２との間に挿入された保水層１３との積層構造を有している。そして、被覆片１には保形用の弾性モノフィラメント１４が付設されている。より具体的には、複数本の弾性モノフィラメント１４が帽子用インナーウエアの中心部から放射状に延長するように配置され、これら弾性モノフィラメント１４が積層構造を有する被覆片１の内部に縫い込まれている。
【００２９】
上述した帽子用インナーウエアは、前述の実施形態と同様に、汗の吸収効果や水分による冷却効果を発揮することができ、しかも必要に応じて洗濯することができる。また、上述のような形状を有する帽子用インナーウエアは、学生や警察官等の制帽に対して好適である。特に、被覆片１に保形用の弾性モノフィラメント１４を付設しているので、弾性モノフィラメント１４の弾性回復力に基づいて帽子用インナーウエアを制帽等の帽子に対して係合させることができる。
【００３０】
上述した各実施形態において、弾性モノフィラメント１４の直径は、０．５〜４．０ｍｍ、より好ましくは１．０〜３．５ｍｍの範囲に設定すると良い。弾性モノフィラメント１４の直径を上記範囲に設定することにより、帽子用インナーウエアを小さく折り畳み可能にすると共に、原形に復元可能にする十分な弾性回復力を与えることができる。
【００３１】
弾性モノフィラメントの材料としては、弾性を有する素材であれば特に限定されることはなく、例えば、金属材料や合成樹脂材料を使用することができる。好ましくはナイロン、ポリエチレン、ポリプロピレン等を使用することができ、特にナイロンは最適である。これら合成樹脂材料は、弾性を有しながら軽量であり、かつ腐食しないため帽子用インナーウエアをそのまま洗濯することができる。
【符号の説明】
【００３２】
１  積層構造を有する被覆片
２  メッシュ構造を有する被覆片
１１  親水布
１２  防水布
１３  保水層
１４  弾性モノフィラメント
【図１】
2012140740.tif 000003
【図２】
2012140740.tif 000004
【図３】
2012140740.tif 000005
【図４】
2012140740.tif 000006
【図５】
2012140740.tif 000007
【図６】
2012140740.tif 000008
【図７】
2012140740.tif 000009
【図８】
2012140740.tif 000010
【図９】
2012140740.tif 000011